(57)【特許請求の範囲】
【請求項１】
出力レベルの夫々をマスタボリュームに比例させて制御する出力レベル制御手段と、
出力レベル制御の切り替えを指示する切り替え指示手段とを有しており、
該切り替え指示手段の指示で、前記出力レベル制御手段が、出力レベルの少なくとも１つをその指示時のレベルに固定すると共に、固定されていない少なくとも１つの出力レベルを上記マスタボリュームに比例させて制御するようにしたことを特徴とする出力レベル固定可能な電子楽器。
【請求項２】
前記切り替え指示手段として、ヘッドホンジャックのプラグへの挿入及び取り出しを検出し、その挿入の検出により出力レベル制御の切り替えを指示して出力レベルを指示時のレベルに固定すると共に、その取り出しの検出により出力レベルをマスタボリュームに比例させて制御することを特徴とする請求項１記載の出力レベル固定可能な電子楽器。
【請求項３】
前記切り替え指示手段として、音量固定スイッチを用いることを特徴とする請求項１記載の出力レベル固定可能な電子楽器。
【請求項４】
前記切り替え指示手段として、機能設定モード中に音量を固定するモードを設けて、該モードの選択により、前記出力レベル制御の切り替え指示を行うことを特徴とする請求項１記載の出力レベル固定可能な電子楽器。
【請求項５】
機能設定モード中に設けられた音量を固定するモードと、ヘッドホンジャックのプラグへの挿入及び取り出しを検出する構成とを、前記切り替え指示手段として設け、該音量固定モードで、ヘッドホンジャックのプラグへの挿入又は取り出し時に、前記出力レベル制御の切り替え指示を行うことを特徴とする請求項１記載の出力レベル固定可能な電子楽器。
【請求項６】
前記出力レベル制御手段として、ＤＳＰを用い、出力レベルの比例制御及び固定を、係数制御に基づいて行うことを特徴とする請求項１〜５のいずれか記載の出力レベル固定可能な電子楽器。
【発明の詳細な説明】
【０００１】
【発明の属する技術分野】
本発明は、出力レベルを固定することができる電子楽器に関する。
【０００２】
【従来の技術】
電子ピアノや電子オルガンなどの電子楽器では、通常ＬＩＮＥ ＯＵＴの音量（出力レベル）をマスタボリュームに比例させるように設定されているものが多い。
【０００３】
以上の構成では、マスタボリュームを上げればＬＩＮＥ ＯＵＴの音量も上がり、マスタボリュームを下げればＬＩＮＥ ＯＵＴの音量も下がる。
【０００４】
【発明が解決しようとする課題】
このような機能を有する電子楽器をステージ演奏などで使用する場合、例えばアンプなどのＰｕｂｌｉｃ Ａｄｄｒｅｓｓ機器（以下ＰＡと言う）に接続し、演奏者はヘッドホンでモニタしながら演奏することになる。
【０００５】
この時、ＰＡ側は、ノイズを少なくするために、なるべく大きな音量で且つ音量を固定した状態で、発音元の電子楽器から楽音信号を受け取るのが望ましいし、他方演奏者は自分の都合の良い音量にヘッドホンの音量を調節したくなるのが普通である。両者の都合の良い音量に決定されれば良いのであるが、演奏者がヘッドホンでモニタしながら演奏する音量には限界があり、両者の都合が一致しないことが多い。
【０００６】
本発明は以上のような問題を解決するため創案されたもので、通常は、出力レベルをマスタボリュームに比例させ、必要に応じて、出力レベルを固定することができる電子楽器を提供せんとするものである。
【０００７】
【課題を解決するための手段】
本発明の出力レベル固定可能な電子楽器は、
出力レベルの夫々をマスタボリュームに比例させて制御する出力レベル制御手段と、
出力レベル制御の切り替えを指示する切り替え指示手段とを有しており、
該切り替え指示手段の指示で、前記出力レベル制御手段が、出力レベルの少なくとも１つをその指示時のレベルに固定すると共に、固定されていない少なくとも１つの出力レベルを上記マスタボリュームに比例させて制御するようにしたことを基本的特徴としている。
【０００８】
上記構成では、切り替え指示手段により、出力レベルを固定する指示があった場合、前記出力レベル制御手段は、出力レベルの少なくとも１つをその指示時のレベルに固定すると共に、固定されていない少なくとも１つの出力レベルを上記マスタボリュームに比例させて制御するようにし、反対にその指示が解除された時には、固定されていた出力レベルを、その時のマスタボリュームの設定に相当する音量にセットする。
【０００９】
例えば、ステージ演奏において、電子楽器をＰＡに接続し、演奏者はヘッドホンでモニタしながら演奏する場合、ＰＡ側が希望する音量の時、上記切り替え指示手段により、出力レベルを固定する指示を行えば、ＬＩＮＥ ＯＵＴ音量はその指示時のレベルに固定されるので、その後演奏者は自分の都合の良い、ヘッドホンの音量に調整することができるようになる。
【００１０】
また演奏中に誤ってマスタボリュームを操作してしまった場合でも、ヘッドホンから出力される音量が変化するだけで済み、ＬＩＮＥ ＯＵＴから出力される（ヘッドホン装着者以外が耳にする）音量（出力レベル）は変化しない。従って以上のような操作ミスがあっても、聴衆に影響を与えることがない。
【００１１】
前記切り替え指示手段としては、ヘッドホンジャックのプラグへの挿入及び取り出しを検出する構成を用いても良いし、音量固定スイッチを用いても良い。前者の構成の場合、詳細には、切り替え指示手段として、ヘッドホンジャックのプラグへの挿入及び取り出しを検出する構成が用いられることで、その挿入の検出により出力レベル制御の切り替えを指示して出力レベルを指示時のレベルに固定すると共に、その取り出しの検出により出力レベルをマスタボリュームに比例させて制御することで達成される。
【００１２】
更に該切り替え指示手段として、機能設定モード中に音量を固定するモードを設けて、該モードの選択により、前記出力レベル制御の切り替え指示を行うこともできる。また機能設定モード中に設けられた音量を固定するモードと、ヘッドホンジャックのプラグへの挿入及び取り出しを検出する構成とを、前記切り替え指示手段として設け、該音量固定モードで、ヘッドホンジャックのプラグへの挿入又は取り出し時に、前記出力レベル制御の切り替え指示を行うこともできる。
【００１３】
以上のようなモード設定ができる２つの構成とも、そのモード設定における情報は、電源ＯＦＦ時に保管され、再度電源ＯＮになった時にも有効となるように設定することができる。すなわち、出力レベルを固定する状態で電源ＯＦＦになった時に、次に電源ＯＮになった時の出力レベルは、その直前の電源ＯＦＦ時に設定されたレベルのままである。
【００１４】
他方前記出力レベル制御手段として、ＤＳＰを用い、出力レベルの比例制御及び固定を、係数制御に基づいて行うこともできる。このように構成することで、回路構成がシンプルになり、余計なディスクリート部品を必要としなくなり、生産工程数の軽減、重量軽減、消費電力の低減につながることになる。
【００１５】
【発明の実施の形態】
以下本発明に係る電子楽器の音色設定装置の一実施形態構成を添付図面に基づき説明する。図１は操作者が本発明構成を備えた電子鍵盤楽器のＬＩＮＥ ＯＵＴ出力をＰＡ機器３００につないで使用する状態を示す使用状態説明図である。また図２は、該電子鍵盤楽器の回路概要図である。
【００１６】
図２において、バス２００上に、ＣＰＵ２０１、ＲＯＭ２０２、ＲＡＭ２０３、キースキャン回路２０４を介して繋がる鍵盤部２０５、パネルスキャン回路２０６を介して繋がりパネルスイッチによる操作とＬＥＤによる表示が可能なパネル操作部２０７、楽音発生部２０８が、各接続されており、該バス２００を通じてこれらのデバイスに各種命令やデータの受け渡しがなされる。
【００１７】
また前記楽音発生部２０８には、発生せしめられた楽音をアナログに変換するＤ／Ａ変換部２０９と、アナログ信号処理部２１０と、前記ＣＰＵ２０１からのデジタルボリューム制御信号を受けて、前記アナログ信号処理部２１０で処理されたアナログ信号の音量調整を行うデジタルボリューム３と、そこで音量制御のなされたアナログ信号を増幅するアンプ２１１及びヘッドホンアンプ２１４と、それを外部に発音せしめるスピーカ２１３及びヘッドホン２１６とが電気的に接続されている。
【００１８】
さらに、前記アナログ信号処理部２１０の出力側とデジタルボリューム３の出力側は、リレー２の入力端子に夫々つなげられている。該リレー２はＣＰＵ２０１からのリレー制御信号の入力を受けて、前記リレー２における入力端子の接続を切り替え、ＬＩＮＥ ＯＵＴ２１７につながっている。該ＬＩＮＥ ＯＵＴ２１７は、ここでは、上記ＰＡ機器３００に接続するための端子で構成されている。
【００１９】
前記アンプ２１１とスピーカ２１３の間にはリレー２１２が介装されており、ＣＰＵ２０１からの上記のリレー制御信号の入力を受けて、両間を閉じたり、開いたりできるようになっている。また前記ヘッドホン２１６はそのジャックをプラグ１ａ（後述する他の実施形態構成では２１５となっている）に挿入することで前記ヘッドホンアンプ２１４と接続できるようになっている。ここでは、ヘッドホン２１６のジャックをプラグ１ａに挿入すると、ＨＰＳＷ信号がＣＰＵ２０１に送られ、これを受けたＣＰＵ２０１は、前記リレー２１２にリレー制御信号を送り、アンプ２１１とスピーカ２１３の回路を開く。反対にヘッドホン２１６のジャックをプラグ１ａから外すと、アンプ２１１とスピーカ２１３の回路を閉じることになる。
【００２０】
またマスタボリューム１００のアナログの操作値は、Ａ／Ｄ変換部１０１でデジタル値に変換して、前記ＣＰＵ２０１に入力され、最終的にスピーカ２１３、ヘッドホン２１６及びＬＩＮＥ ＯＵＴ２１７からの出力を調整する。
【００２１】
以上の構成において、本願発明の構成要件である出力レベル制御手段は、ＣＰＵ２０１、デジタルボリューム３及びリレー２で構成され、また本願発明の切り替え指示手段は、同じくＣＰＵ２０１とヘッドホン２１６のジャックをつなぐためのプラグ１ａ（正確にはヘッドホンジャックのプラグ１ａへの挿入及び取り出しを検出する構成）とで構成されている。
【００２２】
そしてヘッドホン２１６のジャックをプラグ１ａにつながない状態の時は、リレー２１２はアンプ２１１とスピーカ２１３の回路を閉じ、またリレー２は図示の状態となって、デジタルボリューム３側の出力を、ＬＩＮＥ ＯＵＴ２１７にそのまま流す。従って、スピーカ２１３とＬＩＮＥ ＯＵＴ２１７の出力レベルは、ＣＰＵ２０１により、マスタボリューム１００の操作値に比例して制御される。
【００２３】
他方ヘッドホン２１６のジャックをプラグ１ａに挿入すると、ＣＰＵ２０１に対し、ＨＰＳＷ信号が送られる。これを受けたＣＰＵ２０１は、前記リレー２１２にリレー制御信号を送り、アンプ２１１とスピーカ２１３の回路を開く。また同時にこのリレー制御信号は、リレー２にも送られる。これによってリレー２は、アナログ信号処理部２１０から出てきたアナログ信号を、デジタルボリューム３をバイパスさせて、ＬＩＮＥ ＯＵＴ２１７にそのまま流す。従って、スピーカ２１３からの出力はなくなると共に、ヘッドホン２１６の出力レベルは、その後マスタボリューム１００の操作値に比例して制御される。しかし、ＬＩＮＥ ＯＵＴ２１７の出力は、ヘッドホン２１６のジャックをプラグ１ａに挿入した時点における出力レベルに固定される。
【００２４】
さらにヘッドホン２１６のジャックをプラグ１ａから外すと、リレー２１２はアンプ２１１とスピーカ２１３の回路を閉じ、またリレー２は図示の状態に復帰して、デジタルボリューム３側の出力を、ＬＩＮＥ ＯＵＴ２１７にそのまま流す。従って、スピーカ２１３とＬＩＮＥ ＯＵＴ２１７の出力レベルは、ＣＰＵ２０１により、マスタボリューム１００の操作値に比例して制御される。すなわち、固定されていたＬＩＮＥ ＯＵＴ２１７の出力レベルは、復帰した時点でのマスタボリューム１００の設定に相当するレベルにセットされる。
【００２５】
尚、図８は、上記本発明構成との対比を行う電子オルガンなどの従来の電子楽器の構成を示している。図２との構成の違いは、デジタルボリューム３とリレー２の構成を有しておらず、アナログ信号処理部２１０が、アンプ２１１、ヘッドホンアンプ２１４及びＬＩＮＥ ＯＵＴ２１７に直接つなげられている点である。
【００２６】
このような構成であると、ヘッドホン２１６のジャックをプラグ１ａに挿入し、スピーカ２１３からの出力がなくなった時点で、ヘッドホン２１６の出力レベルがマスタボリューム１００の操作値に比例して制御されるだけでなく、ＬＩＮＥ ＯＵＴ２１７の出力レベルも、マスタボリューム１００の操作値に比例して制御されることになる。
【００２７】
図３は、本願発明の他の実施形態構成を示す電子鍵盤楽器の回路概要図である。本構成と図２の上記実施形態構成との違いは、切り替え指示手段として、プラグ２１５における検出構成を用いる代わりに、パネル操作部２０７上に設置されたＬＩＮＥ ＯＵＴ音量固定スイッチ１ｂを用いている点である。
【００２８】
上記音量固定スイッチ１ｂがＯＦＦの状態の時（すなわち音量を固定しない側にスイッチがセットされている時）は、リレー２は図示の状態となって、デジタルボリューム３側の出力を、ＬＩＮＥ ＯＵＴ２１７にそのまま流す。従って、ＬＩＮＥ ＯＵＴ２１７の出力レベルは、ＣＰＵ２０１により、マスタボリューム１００の操作値に比例して制御される。そしてヘッドホン２１６のジャックをプラグ２１５に接続している場合、その出力レベルは、マスタボリューム１００の操作値に比例して制御される。
【００２９】
他方音量固定スイッチ１ｂがＯＮになる（すなわち音量を固定する側にスイッチがセットされる）と、パネルスキャン回路２０６からＣＰＵ２０１にスイッチＯＮ検出信号が送られる。これを受けたＣＰＵ２０１は、前記リレー２にリレー制御信号を送る。これによってリレー２は、アナログ信号処理部２１０から出てきたアナログ信号を、デジタルボリューム３をバイパスさせて、ＬＩＮＥ ＯＵＴ２１７にそのまま流す。従って、ＬＩＮＥ ＯＵＴ２１７の出力は、音量固定スイッチ１ｂがＯＮになった時点における出力レベルに固定される。
【００３０】
さらに音量固定スイッチ１ｂを再びＯＦＦにすると、リレー２は図示の状態に復帰して、デジタルボリューム３側の出力を、ＬＩＮＥ ＯＵＴ２１７にそのまま流す。従って、ＬＩＮＥ ＯＵＴ２１７の出力レベルは、ＣＰＵ２０１により、マスタボリューム１００の操作値に比例して制御される。すなわち、固定されていたＬＩＮＥ ＯＵＴ２１７の出力レベルは、復帰した時点でのマスタボリューム１００の設定に相当するレベルにセットされる。
【００３１】
尚、ヘッドホン２１６のジャックをプラグ１ａに挿入した時は、ＣＰＵ２０１からのリレー制御信号により、リレー２１２はアンプ２１１とスピーカ２１３の回路を開き、スピーカ２１３の出力レベルは０となる。この時ヘッドホン２１６の出力レベルは、ＣＰＵ２０１により、マスタボリューム１００の操作値に比例して制御される。反対にヘッドホン２１６のジャックがプラグ２１５から外されると、リレー２１２はアンプ２１１とスピーカ２１３の回路を閉じ、スピーカ２１３の出力レベルも、ＣＰＵ２０１により、マスタボリューム１００の操作値に比例して制御される。
【００３２】
図４は、本願発明の他の実施形態構成を示す電子鍵盤楽器の回路概要図である。本構成と図３における第２の実施形態構成との違いは、切り替え指示手段として、ＬＩＮＥ ＯＵＴ音量固定スイッチ１ｂを用いる代わりに、パネル操作部２０７によりセットされる機能設定モード中に、音量を固定するモード１ｃを設けて、該モード１ｃにおける選択により、前記出力レベルを固定する或いはしないという制御を行う点である。
【００３３】
上記モードで音量を固定しない状態が選択されている時は、リレー２は図示の状態となって、デジタルボリューム３側の出力を、ＬＩＮＥ ＯＵＴ２１７にそのまま流す。従って、ＬＩＮＥ ＯＵＴ２１７の出力レベルは、ＣＰＵ２０１により、マスタボリューム１００の操作値に比例して制御される。そしてヘッドホン２１６のジャックをプラグ２１５に接続している場合、その出力レベルは、マスタボリューム１００の操作値に比例して制御される。
【００３４】
他方上記モードで音量を固定する状態が選択されると、パネルスキャン回路２０６からＣＰＵ２０１にモード選択信号が送られる。これを受けたＣＰＵ２０１は、前記リレー２にリレー制御信号を送る。これによってリレー２は、アナログ信号処理部２１０から出てきたアナログ信号を、デジタルボリューム３をバイパスさせて、ＬＩＮＥ ＯＵＴ２１７にそのまま流す。従って、ＬＩＮＥ ＯＵＴ２１７の出力は、音量を固定するモード選択がなされた時点における出力レベルに固定される。
【００３５】
さらに音量を固定しないモード選択が再びなされると、リレー２は図示の状態に復帰して、デジタルボリューム３側の出力を、ＬＩＮＥ ＯＵＴ２１７にそのまま流す。従って、ＬＩＮＥ ＯＵＴ２１７の出力レベルは、ＣＰＵ２０１により、マスタボリューム１００の操作値に比例して制御される。すなわち、固定されていたＬＩＮＥ ＯＵＴ２１７の出力レベルは、復帰した時点でのマスタボリューム１００の設定に相当するレベルにセットされる。
【００３６】
尚、ヘッドホン２１６のジャックをプラグ１ａに挿入した時は、ＣＰＵ２０１からのリレー制御信号により、リレー２１２はアンプ２１１とスピーカ２１３の回路を開き、スピーカ２１３の出力レベルは０となる。この時ヘッドホン２１６の出力レベルは、ＣＰＵ２０１により、マスタボリューム１００の操作値に比例して制御される。反対にヘッドホン２１６のジャックがプラグ２１５から外されると、リレー２１２はアンプ２１１とスピーカ２１３の回路を閉じ、スピーカ２１３の出力レベルも、ＣＰＵ２０１により、マスタボリューム１００の操作値に比例して制御される。
【００３７】
また上記モード選択による「ＬＩＮＥ ＯＵＴ音量を固定する」或いは「ＬＩＮＥ ＯＵＴ音量を固定しない」という情報は、本電子鍵盤楽器の電源を切った後でも保管され、次に電源を入れた時にも有効になる。すなわち、「ＬＩＮＥ ＯＵＴ音量を固定する」が選択されている状態で、電源が切られた時、次に電源を入れた時のＬＩＮＥ ＯＵＴ２１７の出力レベルは、電源を切る前に設定されていたレベルのままとなる。
【００３８】
図５は、上記実施形態構成における出力レベル制御手段の構成を、別回路で構成した場合の回路概要図を示している。すなわち、デジタルボリューム３やリレー２のような構成は用いず、楽音発生部２０８とＤ／Ａ変換部２０９ａ及び２０９ｂとの間に、ＤＳＰ４を介在させ、これを出力レベル制御手段として用いている。前記ＣＰＵ２０１からこのＤＳＰ４に対してＤＳＰ制御信号を送られることで、該ＤＳＰ４によって、マスタボリューム１００の操作値に対応したスピーカ２１３の出力レベル及びヘッドホン２１６の出力レベルの制御、スピーカ２１３の出力レベルを０にする制御、さらに、マスタボリューム１００の操作値に対応したＬＩＮＥ ＯＵＴ２１７の出力レベルの制御、並びにＬＩＮＥ ＯＵＴ２１７の出力レベルを固定する制御がなされることになる。
【００３９】
図６は、上記ＤＳＰ４による出力レベルの比例制御及び固定制御の内部処理状態を示す説明図である。同図によれば、楽音発生部２０８からＤＳＰ４内に入ってきたデジタルの楽音信号（これらはＤＳＰ４内で２つに分岐される）に対し、コーラスやリバーブなどの音響効果が付加され（これらの効果を付加するか否かは係数の乗算によって行われる）、その後、ヘッドホン用、スピーカ用及びＬＩＮＥ ＯＵＴ用に出力が分岐される。そしてヘッドホン用に分岐されたデジタル楽音信号は、ヘッドホン用のイコライザにかけられ、さらにヘッドホン用のリバーブ効果が再び付加されて、前記Ｄ／Ａ変換部２０９ａ側に出力される。またスピーカ用に分岐されたデジタル楽音信号は、スピーカ特性用のイコライザにかけられて、同じくＤ／Ａ変換部２０９ａ側に出力される。さらにＬＩＮＥ ＯＵＴ用に分岐されたデジタル楽音信号に対しては、係数αが乗算され、前記Ｄ／Ａ変換部２０９ｂ側に出力される。
【００４０】
前記ＣＰＵ２０１から送られたＤＳＰ制御信号に基づいて、「ＬＩＮＥ ＯＵＴ音量を固定する」という情報を受け取ったＤＳＰ４は、前記係数α＝１とし、ＬＩＮＥ ＯＵＴ用に分岐されたデジタル楽音信号に該係数αを乗算する。それにより、ＬＩＮＥ ＯＵＴの出力レベルは固定される。反対にＤＳＰ４が「ＬＩＮＥ ＯＵＴ音量を固定しない」という情報を受け取った場合、該ＤＳＰ４は、前記係数αの値を、前記マスタボリューム１００で設定されＡ／Ｄ変換部１０１で得られた値に相当する、例えば０〜１０とする（マスタボリューム１００が最少の時α＝０、最大の時α＝１０）。そしてＤＳＰ４は、該係数αの値をＬＩＮＥ ＯＵＴ用に分岐されたデジタル楽音信号に乗算する。それにより、ＬＩＮＥ ＯＵＴの出力レベルは、マスタボリューム１００の操作値に比例して制御される。尚、この係数αは０〜１００、０〜１０００というように、分解能が必要なだけ細かくすることができる。
【００４１】
このようにＤＳＰ４を用いることで、前記デジタルボリューム３やリレー２のような余計なディスクリート部品を必要としなくなるため、生産工程数を軽減し、重量も軽減できるようになる。また回路構成が簡略化されるため、消費電力の低減にもつながることになる。
【００４２】
図７は、本願発明の更に他の実施形態構成を示す電子鍵盤楽器の回路概要図である。本構成と図５における第４の実施形態構成との違いは、パネル操作部２０７によりセットされる機能設定モード中に設けられた音量を固定するモード１ｄと、ヘッドホンジャックのプラグ１ｅへの挿入及び取り出しを検出する構成とを、前記切り替え指示手段として設け、該音量固定モード１ｄで、ヘッドホンジャックのプラグ１ｅへの挿入又は取り出し時に、前記出力レベル制御の切り替え指示を行う点にある。
【００４３】
パネル操作部２０７での設定で、ヘッドホンジャックが挿入された時「ＬＩＮＥ ＯＵＴ音量を固定する」か「ＬＩＮＥ ＯＵＴ音量を固定しない」かが設定されると、ＣＰＵ２０１はその情報をＲＡＭ２０３に記憶する。そしてヘッドホンジャックが挿入された時、ヘッドホンジャックが挿入されたという情報がＨＰＳＷ信号によりＣＰＵ２０１に伝えられ、更にその情報がＣＰＵ２０１からＤＳＰ制御信号によりＤＳＰ４に伝えられる。ＤＳＰ４は、その信号を基に下記のように、内部処理を行う。
【００４４】
すなわち「ＬＩＮＥ ＯＵＴ音量を固定する」というモード設定がなされている場合、Ｄ／Ａ変換部２０９ａへは、マスタボリューム１００の操作値に比例した信号が出力される。またＤ／Ａ変換部２０９ｂへは、ヘッドホンジャックが挿入された瞬間のマスタボリューム１００の設定値に対応した信号が、保持されたまま伝達される。
【００４５】
反対に「ＬＩＮＥ ＯＵＴ音量を固定しない」というモード設定がなされた場合、Ｄ／Ａ変換部２０９ａ及びＤ／Ａ変換部２０９ｂに対し、マスタボリューム１００の操作値に比例した信号が出力される。
【００４６】
ＤＳＰ４による上記出力レベルの比例制御及び固定制御の内部処理については、前記図６に説明したものと同じであるので、省略する。
【００４７】
以上詳述したように、これらの実施形態構成では、切り替え指示手段により、「ＬＩＮＥ ＯＵＴ音量を固定する」指示があった場合、前記出力レベル制御手段は、ＬＩＮＥ ＯＵＴ音量をその指示時のレベルに固定し、反対に「ＬＩＮＥ ＯＵＴ音量を固定しない」という指示に変わった場合、固定されていたＬＩＮＥＯＵＴ音量を、その時のマスタボリューム１００の設定に相当する音量にセットする。
【００４８】
例えば、ステージ演奏において、電子楽器をＰＡ３００に接続し、演奏者はヘッドホン２１６でモニタしながら演奏する場合、ＰＡ３００側が希望する音量の時、上記切り替え指示手段により、「ＬＩＮＥ ＯＵＴ音量を固定する」指示を行えば、ＬＩＮＥ ＯＵＴ音量はその指示時のレベルに固定されるので、その後演奏者は自分の都合の良い、ヘッドホン２１６の音量に調整することができるようになる。
【００４９】
また演奏中に誤ってマスタボリューム１００を操作してしまった場合でも、ヘッドホン２１６から出力される音量が変化するだけで済み、ＬＩＮＥ ＯＵＴから出力される（ヘッドホン２１６装着者以外が耳にする）音量（出力レベル）は変化しない。従って以上のような操作ミスがあっても、聴衆に影響を与えることがない。
【００５０】
尚、上記の実施形態構成では、ＬＩＮＥ ＯＵＴ音量を固定することができる構成について説明したが、これらに限定されず、スピーカ２１３やヘッドホン２１６音量を必要に応じて固定することができる構成にしても良いことは言うまでもない。また本発明の出力レベル固定可能な電子楽器は、上述の実施例にのみ限定されるものではなく、本発明の要旨を逸脱しない範囲内において種々変更を加え得ることは勿論である。
【００５１】
【発明の効果】
以上、説明したように本発明の請求項１〜６記載の出力レベル固定可能な電子楽器によれば、出力レベルを固定する指示があった場合、出力レベルの少なくとも１つをその指示時のレベルに固定すると共に、固定されていない少なくとも１つの出力レベルを上記マスタボリュームに比例させて制御するようにし、反対にその指示が解除された時には、固定されていた出力レベルを、その時のマスタボリュームの設定に相当する音量にセットするので、例えば、ステージ演奏において、電子楽器をＰＡに接続し、演奏者はヘッドホンでモニタしながら演奏する場合、ＰＡ側が希望する音量の時、出力レベルを固定する指示を行えば、ＬＩＮＥ ＯＵＴ音量はその指示時のレベルに固定され、その後演奏者は自分の都合の良い、ヘッドホンの音量に調整することができるようになるという優れた効果を有している。
【００５２】
また演奏中に誤ってマスタボリュームを操作してしまった場合でも、ヘッドホンから出力される音量が変化するだけで済み、ＬＩＮＥ ＯＵＴから出力される出力レベルは変化しないため、以上のような操作ミスがあっても、聴衆に影響を与えることがない。
【図面の簡単な説明】
【図１】操作者が本発明構成を備えた電子鍵盤楽器のＬＩＮＥ ＯＵＴ出力をＰＡ機器３００につないで使用する状態を示す使用状態説明図である。
【図２】第１の実施形態構成に係る電子鍵盤楽器の回路概要図である。
【図３】第２の実施形態構成を示す電子鍵盤楽器の回路概要図である。
【図４】第３の実施形態構成を示す電子鍵盤楽器の回路概要図である。
【図５】第４の実施形態構成を示す電子鍵盤楽器の回路概要図である。
【図６】ＤＳＰ４による出力レベルの比例制御及び固定制御の内部処理状態を示す説明図である。
【図７】第５の実施形態構成を示す電子鍵盤楽器の回路概要図である。
【図８】電子オルガンなどの従来の電子楽器の回路概要図である。
【符号の説明】
１ａ                    プラグ
１ｂ                    音量固定スイッチ
１ｅ                    プラグ
２                      リレー
３                      デジタルボリューム
４                      ＤＳＰ
１００                      マスタボリューム
１０１                      Ａ／Ｄ変換部
２００                      バス
２０１                      ＣＰＵ
２０２                      ＲＯＭ
２０３                      ＲＡＭ
２０４                      キースキャン回路
２０５                      鍵盤部
２０６                      パネルスキャン回路
２０７                      パネル操作部
２０８                      楽音発生部
２０９、２０９ａ、２０９ｂ  Ｄ／Ａ変換部
２１０                      アナログ信号処理部
２１１                      アンプ
２１２                      リレー
２１３                      スピーカ
２１４                      ヘッドホンアンプ
２１５                      プラグ
２１６                      ヘッドホン
３００                      ＰＡ機器
【図１】
0003681560.tif 000002
【図２】
0003681560.tif 000003
【図３】
0003681560.tif 000004
【図４】
0003681560.tif 000005
【図５】
0003681560.tif 000006
【図６】
0003681560.tif 000007
【図７】
0003681560.tif 000008
【図８】
0003681560.tif 000009